(57)【要約】【課題】再生パワーによる記録品質の劣化を抑制しながら、必要な品質の再生信号を取得する光ディスク装置を提供する。【解決手段】光ディスクに記録または再生を行う光ディスク装置であって、レーザを出射するレーザ光源と、前記レーザ光源を駆動する駆動部と、前記レーザの発光パワーを検出する検出部と前記レーザを光ディスクに集光する手段と備え、記録パワーに基づいて変更された再生パワーで情報の再生を行う光ディスク装置とする。【選択図】  図３
2010186508.tif 000002
【特許請求の範囲】
【請求項１】
光ディスクに記録または再生を行う光ディスク装置であって、
レーザを出射するレーザ光源と、
前記レーザ光源を駆動する駆動部と、
前記レーザの発光パワーを検出する検出部と
前記レーザを光ディスクに集光する手段と
を備え、
記録パワーに基づいて変更された再生パワーで情報の再生を行う光ディスク装置。
【請求項２】
請求項１に記載の光ディスク装置であって、
記録パワーに対応する再生パワーの関係を規定する情報を記憶する記憶部を有し、前記記録パワーを前記情報に適用して再生パワーを決定することを特徴とする光ディスク装置。
【請求項３】
請求項１又は２に記載の光ディスク装置であって、
前記再生パワーを光ディスクに記録された情報に基づいて変化させることを特徴とする光ディスク装置。
【請求項４】
請求項１または２に記載の光ディスク装置であって、
前記記録パワーは、最適パワー制御を実行することにより決定されることを特徴とする光ディスク装置。
【請求項５】
請求項４に記載の光ディスク装置であって、
前記光ディスクから推奨記録パワーと推奨再生パワーを読み出し、最適パワー制御を実行することにより決定された最適記録パワーと、前記推奨記録パワーとの比に基づいて、前記推奨再生パワーから再生パワーを算出することを特徴とする光ディスク装置。
【請求項６】
請求項４または５に記載の光ディスク装置であって、
前記最適パワー制御を実行する際に、所定の再生パワーにて再生を行うことを特徴とする光ディスク装置。
【請求項７】
請求項６に記載の光ディスク装置であって、
前記最適パワー制御を実行する際の再生パワーは、光ディスク装置に予め設定されている再生パワー、または光ディスクに記録されている推奨の再生パワーであることを特徴とする光ディスク装置。
【請求項８】
光ディスクの再生方法であって、
記録パワーに対応する再生パワーの関係を規定する情報に基づいて、最適パワー制御を実行することにより決定された記録パワー、又は、前記光ディスクに記録されている推奨の記録パワーから再生パワーを求め、求められた再生パワーを用いて情報を再生する再生方法。
【請求項９】
光ディスクに記録されている情報を再生する再生方法であって、
最適パワー制御を実行することにより決定された記録パワー、又は、前記光ディスクに記録されている推奨の記録パワーが、記録再生装置に設定されている値と異なる場合に、記録再生装置に設定されている再生パワーを、前記最適パワー制御による記録パワー又は前記推奨の記録パワーに応じて変更して再生を実行する再生方法。
【請求項１０】
請求項８記載の再生方法であって、
最適パワー制御を実行することにより決定された記録パワー、又は、前記光ディスクに記録されている推奨の記録パワーが、記録再生装置に設定されている値よりも低い場合には、再生パワーを記録再生装置に設定されている値よりも低くして再生を実行し、
最適パワー制御を実行することにより決定された記録パワー、又は、前記光ディスクに記録されている推奨の記録パワーが、記録再生装置に設定されている値よりも高い場合には、再生パワーを記録再生装置に設定されている値よりも高くして再生を実行する再生方法。
【請求項１１】
請求項８から１０のいずれかに記載の再生方法であって、
前記最適パワー制御を実行する際に、所定の再生パワーにて再生を行うことを特徴とする光ディスク再生方法。
【請求項１２】
請求項１１に記載の再生方法であって、
前記最適パワー制御を実行する際の再生パワーは、記録再生装置に予め設定されている再生パワー、または光ディスクに記録されている推奨の再生パワーであることを特徴とする光ディスク再生方法。
【発明の詳細な説明】
【技術分野】
【０００１】
本発明は複数の記録層を有する光ディスクを再生する光ディスク装置に関する。
【背景技術】
【０００２】
背景技術として、例えば、特許文献１（特開２００６−２４４６５８号公報）及び特許文献２（特開２００８−８４５０４号公報）がある。
【０００３】
【特許文献１】特開２００６−２４４６５８号公報
【特許文献２】特開２００８−８４５０４号公報
【発明の開示】
【発明が解決しようとする課題】
【０００４】
近年、大容量のデジタルデータを記録可能な媒体として、ブルーレイディスク（以降、ＢＤと称す）が注目されている。ＢＤは波長４０５ｎｍの青色レーザと開口数０．８５のレンズを用いて、一層あたり２５ＧＢの記録容量を達成している。ディスク上のレーザのスポット径はレーザ波長に比例するため、従来は用いるレーザの短波長化及び開口数の増加によって大容量化を図ってきた。しかし、今後の大容量化の手段としてレーザの更なる短波長化は困難とされている。これは、紫外領域の光が光ディスクの主な材料の一つであるポリカーボネートを劣化させるためである。
【０００５】
したがって、一枚あたりの記録容量を増加させる手段として記録層を増加させる技術が提案され、既に二層ディスクが実用化されている。今後、更なる大容量化を目的として三層や四層以上の記録層を有する多層ディスクの標準化が予想される。
【０００６】
上記特許文献１では３層以上の記録層を有する光ディスクに安定した記録品質で記録を行う手段が開示されている。
【０００７】
また特許文献２では、再生時のレーザパワーによって記録品質を劣化させる課題に対して、多層光ディスクの層切り換えにおいて、再生レーザ光に重畳する高周波の振幅及び周波数を切り替える手段が開示されている。
【０００８】
複数の記録層を有する光ディスク再生の課題の一つは、記録層の反射率低下による再生品質の低下である。この課題に対しては、再生パワーを増加させ、再生信号の振幅を増加させることで解決する手段がある。しかし、記録型の光ディスクの場合、再生パワーを単純に増加させてしまうと、記録されているデータを劣化させるという課題がある。
【０００９】
本発明の目的は、再生パワーによる記録品質の劣化を抑制しながら、必要な品質の再生信号を取得する光ディスク装置を提供することにある。
【課題を解決するための手段】
【００１０】
本発明では例えば以下の実施態様により課題を解決できるが、この実施態様に限られることはない。
【発明の効果】
【００１１】
本発明によれば、記録されたデータの品質を劣化させることなく、必要な品質の再生信号を得ることが出来る。
【発明を実施するための最良の形態】
【００１２】
以下、本発明の実施例を図面を用いて説明する。
【００１３】
なお、以降「再生パワー」及び「記録パワー」とは、それぞれ再生時及び記録時に光ディスク上に集光するレーザのパワーを示す。また、「発光パワー」とは、レーザダイオードが発光するレーザのパワーのことを示す。
【実施例】
【００１４】
図１は、本発明に従う光ディスク装置の一実施例を示すブロック構成図である。なお、本発明に直接関与しないブロックに関しては記載を省略した。
【００１５】
マイコン１０１は、図示しないＡＴＡＰＩなどのインターフェースを通じて、ＰＣなどのホスト装置と通信を行う。また、マイコン１０１は、レーザドライバ１０２に対し発光制御を行い、レーザドライバ１０２はマイコン１０１の制御に応じてレーザダイオード１０３を駆動する電流を出力する。レーザダイオード１０３はレーザドライバ１０２の駆動電流に応じた発光パワーで発光する。パワーモニタ１０５はビームスプリッタ１０４を介してレーザダイオード１０３の発光パワーを検出し、検出したパワーを電圧値に変換してマイコン１０１に出力する。１／４波長板１０６はビームスプリッタ１０４を透過したレーザの位相を１／４波長ずらし、偏光方向を変化させる。対物レンズ１０７はレーザを光ディスク１０８に集光させる。図１の例では、点線で示した枠内のブロック１０２〜１０７、１０９、１１０が光ピックアップに搭載されているものとする。また、図１ではレーザダイオード１０３とパワーモニタ１０５を分離して搭載した例を示したが、パワーモニタをパッケージングし、検出したパワーをマイコン１０１に出力するレーザダイオードを用いても良い。ピックアップの設計上、省スペースや制御が容易になる場合もあるからである。
【００１６】
光ディスク１０８にて反射したレーザは、ディスクの情報を光の強度変化として保持している。再生を行う際には、光ディスク１０８にて反射したレーザを１／４波長板１０６にて偏光方向を変化させる。偏光ビームスプリッタ１０９にてレーザを反射させ、ディテクタ１１０に集光する。ディテクタ１１０は集光したレーザを検出し、レーザの強度に応じた信号を波形等化器１１１に出力する。波形等化器１１１は、ディテクタ１１０によって検出された信号波形に対して等化、増幅などの処理を行い、信号処理器１１２に出力する。信号処理器１１２は、波形等化器１１１によって出力された信号波形に対し、アナログ／デジタル変換、等化、デコードなどの信号処理を行い、デコードしたデータをマイコン１０１に出力する。
【００１７】
記録を行う際には、マイコン１０１によって定められたデータパターンをレーザドライバ１０２に出力し、レーザドライバ１０２はデータパターンに応じた駆動電流をレーザダイオード１０３に出力する。レーザダイオード１０３は駆動電流に応じた発光波形でレーザを出力し、対物レンズ１０７にてレーザを光ディスク１０８に集光することで記録を行う。なお、レーザダイオード１０３を駆動する電流はマイコン１０１が出力しても良い。
【００１８】
図２は、光ディスクを再生した時の再生パワーに対するジッタの変化を示した図である。ジッタは再生品質を特徴付ける指標であり、低いほど再生品質が良いことを示す。図２によれば、再生パワーが高いほどジッタが低下していることが分かる。特に、複数の記録層を有する光ディスクでは、再生信号の振幅が小さいためこの傾向が顕著となる。しかし、記録型の光ディスクの場合、再生パワーを増加させることで記録されているデータを劣化させるという問題が発生する。このデータの劣化は記録層の特性に依存するものであり、記録層によって異なる。
【００１９】
本実施形態では、記録層によって再生パワーを変化させ、記録されているデータを劣化させない領域内で最大の再生パワーにすることで、再生性能を向上することが出来る。再生パワーは実施例２で述べる方法により決定しても良いし、予め決められた値を用いても良い。
【００２０】
また光ディスクの種類ごとにそれぞれ決めておいても良い。
【００２１】
つぎに、記録パワーに基づいて再生パワーを決定する方法について説明する。
【００２２】
図３は本発明による光ディスク装置が、光ディスクをローディングしてから再生を開始するまでの例を示したフローチャートである。なお、本発明に直接関与しない動作については記載を省略した。
【００２３】
ステップ３０１にてディスクをローディングする。フォーカスサーボやトラッキングサーボなどの制御を開始した後、ステップ３０２にて光ディスク上の所定の位置でＯＰＣ（Ｏｐｔｉｍｕｍ  Ｐｏｗｅｒ  Ｃｏｎｔｒｏｌ）を実施する。これは光ディスクの最適な記録パワーを決定するための試し書き動作であり、κ−ＯＰＣやβ−ＯＰＣなどが知られている。ＯＰＣでは、記録条件（記録パワーや記録パルス幅など）を変更しながら試し書きを実行し、試し書きデータを再生して最適な記録条件を求める。試し書きデータを再生する際の再生パワーは、記録再生装置で予め設定されている再生パワーを用いても良いし、光ディスクに記録されている推奨の再生パワーを用いても良い。ステップ３０３にて記録パワーを決定した後、ステップ３０４にて記録パワーに基づいて再生パワーを決定する。決定した再生パワーを用いてステップ３０５にて再生を開始する。このようにして求められた再生パワーは、記録再生装置や光ディスクに記録しておいても良い。次のＯＰＣで試し書きデータを再生する際の再生パワーとして用いることもできる。
【００２４】
記録パワーに基づいて再生パワーを決定する方法について述べる。図４は記録パワーと再生パワーの関係式のグラフ例であり、この図のように示される関係式に基づいて再生パワーが決定される。一般に、最適な記録パワーが低い領域にある光ディスクは、レーザのパワーに対する感度が高い。このような光ディスクは、記録されたデータがレーザによって劣化しやすい傾向にあるため、再生パワーも低い値を用いる必要がある。一方、記録パワーが高い領域にある光ディスクは、レーザのパワーに対する感度が低いため、再生パワーを高くしＳ／Ｎ比を上げることで再生性能を向上することが出来る。
【００２５】
ここでは、図４に示すように、記録パワーと再生パワーが１次関数で表される例としたが、記録パワーと再生パワーの関係式が２次関数または３次以上の関数で表されるような場合にも適用することができる。
【００２６】
なお、ＯＰＣによって求められた記録パワーに基づいて再生パワーを決定する方法について説明したが、光ディスクに予め記録されている推奨記録パワーや推奨再生パワーなどに基づいて再生パワーを決定しても良い。すなわち、図４に示すような記録パワーと再生パワーの関係が成り立つ場合に、図４で示されるような関係式に基づいて、光ディスクに記録されている推奨記録パワーから再生パワーを求め、この再生パワーで再生を実行しても良い。この場合は、ＯＰＣを実施する必要が無いため、光ディスクが挿入されてから再生可能となるまでの時間の短縮が図れる。この方式は、記録を行わない場合に特に有効である。
【００２７】
また、例えば、ディスクに予め記録されている推奨記録パワーと、ＯＰＣにより求められた最適記録パワーとが既に光ディスクに記録されている場合は、推奨記録パワーと最適記録パワーとの比に基づいて、光ディスクに記録されている推奨再生パワーから再生パワーを算出しても良い。
【００２８】
また上記例ではＯＰＣ可能な記録再生装置において、記録パワーから再生パワーを決定する場合について説明したが、再生専用の光ディスク装置で再生パワーを決定する場合にも適用することができる。この場合、再生専用光ディスク装置は、再生専用の光ディスクを再生する際には記録パワーに基づいて再生パワーを決定せず、所定の再生パワーに基づいて再生を実行する。
一方、記録再生装置で情報が記録された記録型光ディスクを再生する際には、光ディスクに記録されている記録パワーに基づいて再生パワーを決定する。ここで、記録型光ディスクには、記録パワーとして、推奨記録パワー、及び、記録再生装置でＯＰＣが実行されることにより得られる最適記録パワーの少なくとも一方が記録されているものとする。また、再生専用の光ディスク装置には、記録パワーと再生パワーの関係を式やテーブルとして記憶部に記録しておく。再生専用の光ディスク装置は、記録可能型の光ディスクから推奨記録パワーとＯＰＣによる最適記録パワーを読み出し、記憶部に記録されている記録パワーと再生パワーの関係から再生パワーを求めればよい。
【００２９】
また、３層又は４層以上の記録層を有する多層光ディスクの場合に、各記録層に対して、記録パワーと再生パワーの関係を記憶部に記憶していても良いし、ある記録層に対する記録パワーと再生パワーの関係を基準データとして記憶部に記憶しておき、他の記録層を再生する際には、この基準データに基づいて再生パワーを決定するようにしても良い。
【００３０】
また，記録層の状態によって光ディスク上の位置に応じて記録パワーが変更された場合にも，予め設定されている記録パワーと再生パワーの関係に基づいて，光ディスク上の位置に応じた再生パワーを求めても良い。なお、レーザの温度変化などを考慮すると、記録パワーが変化した場合に、それに応じて必ずリードパワーを変化させる必要は無く、リードパワーの上限値を設定しておき、それを超えない範囲で調整することもできる。
【００３１】
以上のように、記録パワーに基づいて再生パワーを決定することで、記録されているデータの品質を劣化させない領域で最大の再生パワーを用いることが出来るため、良好な再生を行うことが出来る。
【００３２】
かかる方式によれば、１記録層あたりの記録密度が更に高くなった光ディスクや、記録層の数が現状の２層から更に増えて３層、４層、５層以上の記録層を有する光ディスクであっても、記録型の光ディスクに記録されているデータの品質を劣化させることなく、良好な再生品質でデータを再生することができる。
【図面の簡単な説明】
【００３３】
【図１】本発明による光ディスク装置の一実施例を示す図
【図２】再生パワーとジッタの関係を示す図
【図３】本発明による光ディスク装置がディスクをローディングしてから再生を開始するまでのフローチャート
【図４】記録パワーと再生パワーの関係を示す図
【符号の説明】
【００３４】
１０１…マイコン、１０２…レーザドライバ、１０３…レーザダイオード、１０４…ビームスプリッタ、１０５…パワーモニタ、１０６…１／４波長板、１０７…対物レンズ、１０８…光ディスク、１０９…偏光ビームスプリッタ、１１０…ディテクタ、１１１…波形等化器、１１２…信号処理器
【図１】
2010186508.tif 000003
【図２】
2010186508.tif 000004
【図３】
2010186508.tif 000005
【図４】
2010186508.tif 000006